(57)【要約】【課題】本発明は音場の音響特性を簡単に測定できる音響特性補正方法及び装置を提供する。【解決手段】音響信号を再生する本体（１０）と、マイク（５２）を有するワイヤレスリモコン（５０）とを具備する音響特性補正装置において、本体（１０）は測定用音響信号を発生する発生部（２６）、リモコン（５０）から送信される測定用音響信号の再生音の集音信号から音響特性を求める周波数特性算出部（１８）と、音響特性から補正係数を求める補正特性算出部（２０）と、算出された補正係数に基づいて音響信号を補正する畳み込み演算部（２２）とを具備する。【選択図】      図１
2010010823.tif 000002
【特許請求の範囲】
【請求項１】
音響信号を再生する本体と、マイクを有するワイヤレスリモコンとを具備する音響特性補正装置において、
前記本体は測定用音響信号を発生する手段と、
前記リモコンから送信される集音信号を受信する手段と、
前記受信手段により受信された測定用音響信号の再生音の集音信号から音響特性を求める手段と、
前記音響特性から補正特性を求める手段と、
前記補正特性に基づいて音響信号を補正する手段とを具備することを特徴とする音響特性補正装置。
【請求項２】
前記リモコンは前記本体からの測定用音響信号の再生音を集音する手段と、
前記集音手段から出力される集音信号を前記本体へ送信する手段を具備することを特徴とする請求項１に記載の音響特性補正装置。
【請求項３】
前記測定用音響信号発生手段は異なる周波数の測定用音響信号を複数回発生し、
前記音響特性を求める手段は前記受信手段により複数回受信された測定用音響信号の再生音の複数の集音信号に基づいて音響特性を求めることを特徴とする請求項１に記載の音響特性補正装置。
【請求項４】
前記音響特性を求める手段は前記受信手段により複数回受信された測定用音響信号の再生音の複数の集音信号を記憶するメモリを具備し、前記メモリに記憶された集音信号を周波数軸上で整列し、振幅の正規化を行い音響特性を求めることを特徴とする請求項３に記載の音響特性補正装置。
【請求項５】
前記送信手段は前記集音手段から出力される測定用音響信号の再生音の集音信号を平均化し、平均信号を前記本体へ送信することを特徴とする請求項２に記載の音響特性補正装置。
【請求項６】
前記測定用音響信号は可聴周波数範囲の複数の周波数のモノトーン信号であり、
前記リモコンは前記本体からの測定用音響信号の再生音を集音する手段と、
前記集音手段により集音された測定用音響信号の再生音の集音信号の振幅値を前記本体へ送信する手段を具備することを特徴とする請求項１に記載の音響特性補正装置。
【請求項７】
前記補正特性を求める手段は、求められた音響特性と理想的な音響特性との差分を逆フーリエ変換して補正係数を求め、
前記補正手段は前記補正係数に基づいて音響信号を畳み込み演算することを特徴とする請求項１に記載の音響特性補正装置。
【請求項８】
音響信号を再生する本体と、マイクを有するワイヤレスリモコンとを具備する音響装置の音響特性補正方法において、
前記本体から測定用音響信号を発生するステップと、
前記リモコンから送信される集音信号を前記本体で受信するステップと、
前記受信された測定用音響信号の再生音の集音信号から音響特性を求めるステップと、
前記音響特性から補正特性を求めるステップと、
前記補正特性に基づいて音響信号を補正するステップとを具備することを特徴とする音響特性補正方法。
【請求項９】
前記本体からの測定用音響信号の再生音を集音するステップと、
前記集音ステップで集音された測定用音響信号の再生音の集音信号を前記リモコンから前記本体へ送信するステップを具備することを特徴とする請求項８に記載の音響特性補正方法。
【請求項１０】
異なる周波数の測定用音響信号を複数回発生するステップと、
複数回受信された測定用音響信号の再生音の複数の集音信号に基づいて音響特性を求めるステップとをさらに具備することを特徴とする請求項８に記載の音響特性補正方法。
【請求項１１】
前記本体は複数回受信された測定用音響信号の再生音の複数の集音信号を記憶するメモリを具備し、
前記音響特性を求めるステップは前記メモリに記憶された集音信号を周波数軸上で整列し、振幅の正規化を行い音響特性を求めることを特徴とする請求項１０に記載の音響特性補正方法。
【請求項１２】
各周波数の測定用音響信号を複数回発生し、
前記リモコンから前記マイクで集音した複数の測定用音響信号の再生音の集音信号の平均信号を前記本体へ送信するステップをさらに具備することを特徴とする請求項１０に記載の音響特性補正方法。
【請求項１３】
前記測定用音響信号は可聴周波数範囲の複数の周波数のモノトーン信号であり、
前記集音ステップにより集音された測定用音響信号の再生音の集音信号の振幅値を前記リモコンから前記本体へ送信するステップをさらに具備することを特徴とする請求項８に記載の音響特性補正方法。
【請求項１４】
前記補正特性を求めるステップは、求められた音響特性と理想的な音響特性との差をフーリエ変換して補正係数を求め、
前記補正ステップは前記補正係数に基づいて音響信号を畳み込み演算することを特徴とする請求項８に記載の音響特性補正方法。
【発明の詳細な説明】
【技術分野】
【０００１】
本発明は受聴者の位置する部屋の形状等の音場を含めた再生系の音響特性の補正に関する。
【背景技術】
【０００２】
スピーカで再生した音は室内の天井、床、壁等からの反射波が相互に位相干渉するため、聴く位置によっては極端なピーク・ディップが発生し、受聴者に聴感の違和感を与えていた。
【０００３】
このような音場を含めた再生系の音響特性を補正する従来技術としては特許文献１に記載の音響特性補正装置がある。この装置は本体部とリモコン部とマイクからなり、本体部とリモコン部とは信号ケーブルを介して接続される。マイクは音楽再生を行う部屋で受聴位置に配置され、本体部のマイク入力端子に接続される。本体部では、バンド信号あるいは時間引き延ばしパルス信号等の測定用信号が生成され、パワーアンプを介して再生に用いられるスピーカから再生される。マイクはこの測定用信号の再生音を集音し、集音波形は本体部内のメモリに取り込まれる。この測定は、必要に応じて受聴位置を中心とした複数点（例えば５点）にマイクを移動して各位置で行われる。メモリに取り込まれた集音信号に基づいて応答特性が演算される。求められた応答波形はリモコン部の表示部でバーグラフとして表示され、受聴者はこの表示を見ながら、希望の特性を設定する。設定された希望特性は求められた応答特性と重ねて線グラフとして表示されるとともに、補正後の特性も線グラフとして表示されるので、所望の補正後の特性を得るためにはどういう希望特性にすればよいか一目で分かり、設定が容易である。応答特性が希望特性に一致するように補正特性を算出し、再生用の音響信号をこの補正特性を介して再生することにより、希望特性に調整された状態で音響信号が再生される。
【０００４】
しかし、各点の測定の毎にマイクを測定点に設置し、マイクを本体部にケーブル接続する必要があり、装置構成が煩雑である。さらに、希望特性を設定するためのリモコン部も本体部にケーブル接続されており、装置構成が煩雑である。
【特許文献１】特許第３１４７６１８号公報（段落［００１８］乃至［００２１］）
【発明の開示】
【発明が解決しようとする課題】
【０００５】
このように従来の音響特性補正装置では音場の音響特性を簡単には測定できなかった。
【０００６】
本発明の目的は音場の音響特性を簡単に測定できる音響特性補正方法及び装置を提供することにある。
【課題を解決するための手段】
【０００７】
本発明の一態様による音響特性補正装置は、音響信号を再生する本体と、マイクを有するワイヤレスリモコンとを具備する音響特性補正装置において、前記本体は測定用音響信号を発生する手段と、前記リモコンから送信される集音信号を受信する手段と、前記受信手段により受信された測定用音響信号の再生音の集音信号から音響特性を求める手段と、前記音響特性から補正特性を求める手段と、前記補正特性に基づいて音響信号を補正する手段とを具備することを特徴とする。
【０００８】
本発明の一態様による音響特性補正方法は、音響信号を再生する本体と、マイクを有するワイヤレスリモコンとを具備する音響装置の音響特性補正方法において、前記本体から測定用音響信号を発生するステップと、前記リモコンから送信される集音信号を前記本体で受信するステップと、前記受信された測定用音響信号の再生音の集音信号から音響特性を求めるステップと、前記音響特性から補正特性を求めるステップと、前記補正特性に基づいて音響信号を補正するステップとを具備することを特徴とする。
【発明の効果】
【０００９】
以上説明したように本発明によれば、マイクをワイヤレスリモコンに付加することにより、受聴者がリモコンを操作するだけで、手軽に受聴する環境に応じた最適な音響特性に自動補正することができる。
【発明を実施するための最良の形態】
【００１０】
以下、図面を参照して本発明による音響特性補正方法及び装置の実施の形態を説明する。
【００１１】
図１は本発明の第１の実施の形態に係る音響特性補正装置の構成を示す図である。音響特性補正装置は本体１０と赤外線リモコン５０からなる。リモコン５０は赤外線を利用するリモコンに限らず、近距離無線通信方式を利用するもの等、ワイヤレスであれば他の形式でも良い。本体１０は受聴者が受聴する音響信号を再生するテレビジョン受像機、ステレオ装置等の音響信号再生機能を有する装置であり、リモコン５０は本体１０の種々の操作のためのものであり、再生／停止指示、ボリューム調整等のための操作信号を赤外線通信により本体１０へ送信する。本体１０は受聴者の位置する部屋（音場）の音響特性測定用の信号も再生出力する機能を有する。リモコン５０はこの測定用信号の再生音を集音するマイクを内蔵する。集音された測定用信号の再生信号は赤外線通信によりリモコン５０から本体１０に送信され、本体１０内で演算処理され、音場の音響特性の算出、補正特性の算出、受聴者が受聴する音響信号の補正がなされる。
【００１２】
具体的には、本体１０はリモコン５０からの送信信号を受信する赤外線受信部１２を具備する。リモコン５０からの送信信号は変調されているので、受信信号は受信部１２から復調部１４へ供給され、受信信号が復調される。リモコン５０からの送信信号はデジタル信号である。リモコン５０からの送信信号はリモコン内蔵のマイクで集音された音響特性測定用の信号の再生音の集音信号と、本体１０に対する操作指示信号（音響特性補正開始信号等）とを含む。集音信号は復調部１４からメモリ１６に供給され、メモリ１６に格納される。
【００１３】
周波数特性算出部１８はメモリ１６に格納されている多数の集音信号から音場の周波数特性を算出する。補正特性算出部２０は周波数特性算出部１８で算出された音場の周波数特性に含まれるピーク・ディップを補正するための補正特性を算出する。補正特性は測定された周波数特性と、ピーク・ディップを含まない理想の周波数特性との差分を逆フーリエ変換して求められるＦＩＲ（finite impulse response:有限インパルス応答）フィルタのタップ係数である。補正特性はＦＩＲフィルタからなる畳み込み演算部２２にセットされる。音響信号が畳み込み演算部２２で補正特性と畳み込み演算されると、ピーク・ディップがキャンセルされた理想の周波数特性を有する音響信号が得られる。
【００１４】
一方、復調部１４で得られた操作指示信号の中の音響特性補正開始信号は測定用信号発生部２６に供給され、音響特性測定のための測定用信号が発生される。測定用信号はモノトーン信号が利用できる。
【００１５】
本体１０は受聴者が受聴するための音響信号を発生する再生用信号発生部２８も具備し、リモコン５０からの操作信号に応じて受聴用音響信号が発生される。再生用信号発生部２８はＣＤ、ＭＤ、ＤＶＤ、ハードディスク、フラッシュメモリ等の記録媒体から音響信号を再生するもの、あるいは放送信号から音響信号を分離するものでもよい。受聴用音響信号は畳み込み演算部２２に供給され、補正される。
【００１６】
畳み込み演算部２２、測定用信号発生部２６、再生用信号発生部２８の出力のいずれかがセレクタ２４を介してデジタル／アナログ変換部３０に供給される。再生用信号発生部２８の出力がそのままセレクタ２４に供給されているのは、音場の音響特性によっては補正を必要とせずに再生することもあるからである。デジタル／アナログ変換部３０の出力が低域通過フィルタ３２、パワーアンプ３４、スピーカ３６を介して再生音が出力される。
【００１７】
リモコン５０はスピーカ３６から出力された音波を集音するマイク５２を有し、マイク５２から出力される集音信号がマイクアンプ５４、アナログ／デジタル変換部５６を介してメモリ５８に書き込まれる。メモリ５８から読み出された集音信号が変調部６０、赤外線送信部６２を介して本体１０へ送信される。リモコン５０は音響特性補正ボタン、ボリューム調整ボタン等を含む操作部６６を有し、操作部６６が操作されると、操作信号が出力され、操作信号は変調部６０、赤外線送信部６２を介して本体１０へ送信される。
【００１８】
図２、図３は図１に示した音響特性補正装置の動作の一例を示すフローチャートである。フローチャートはリモコン側のフローチャート（同図（ａ））と本体側のフローチャート（同図（ｂ））とに分割されている。動作は大きく分けて、（１）音響特性測定用信号の再生（本体）、（２）再生音の集音及び集音信号の本体への送信（リモコン）、（３）音場の周波数特性の算出（本体）、（４）補正係数の算出（本体）、（５）受聴対象音響信号の補正（本体）からなる。
【００１９】
本体１０で再生される音響信号を受聴する受聴者は本体１０を操作するためにリモコン５０を手元においておく。そのため、マイクを受聴位置に意識的に設置する作業をしなくてもマイクは受聴者の受聴位置に存在することになるので、音場の音響特性を手軽に測定できる。リモコン５０の操作部６６が操作され、音響特性補正ボタン（図示せず）が押されると（ブロックＢ１０２のｙｅｓ）、音響特性補正開始信号を出力し、ブロックＢ１０４でこの信号が本体１０へ赤外線送信される。
【００２０】
本体１０ではリモコン５０からの音響特性補正開始信号を受信すると（ブロックＢ２０２のｙｅｓ）、ある周波数の測定用信号（例えば、モノトーン信号）が発生される。このときセレクタは測定用信号発生部２６を選択する。測定用信号はデジタル／アナログ変換部３０、低域通過フィルタ３２、パワーアンプ３４を介してスピーカ３６から再生音として出力される（ブロックＢ２０６）。
【００２１】
リモコン５０ではブロックＢ１０８で測定用信号の再生を待ち、測定用信号の再生音が検知されると（ブロックＢ１１０のｙｅｓ）、ブロックＢ１１２で測定用信号の再生音を集音する。ブロックＢ１１４で集音データ（振幅値）をメモリ５８に記憶する。集音データの精度を高める場合は、数サンプル（例えば、８点）のデータを平均する。ブロックＢ１１６で８点の測定が終了したか否か判定する。否の場合は、ブロックＢ１１２で次のサンプル点の再生音を集音し、平均を取った後の集音データをブロックＢ１１４でメモリ５８に記憶する。８点の平均が求められると（ブロックＢ１１６のｙｅｓ）、ブロックＢ１１８で測定データが変調部６０で変調され、ブロックＢ１２０で変調データが本体１０へ送信される。
【００２２】
本体１０ではブロックＢ２０６で測定用信号を再生した後、ブロックＢ２０８でリモコン５０からの変調データの送信を待ち、変調データが受信されると（ブロックＢ２１０のｙｅｓ）、ブロックＢ２１２で変調データが復調部１４で復調される。ブロックＢ２１４で復調データがメモリ１６に記憶される。以上で１つの周波数の測定用信号の測定が終了する。音場の音響特性は可聴範囲の周波数帯域全体で測定する必要があるので、上記の動作を測定用信号の周波数を変えて繰り返す。一例としてモノトーン信号の周波数を２０Ｈｚから２０ＫＨｚまでの周波数帯域において１／１２（ｏｃｔ）刻みで変化させて上記測定を繰り返す。リモコン側はブロックＢ１０６、Ｂ１２２に示すようにブロックＢ１０８からブロックＢ１２０までが繰り返され、本体側はブロックＢ２０４、Ｂ２１６に示すようにブロックＢ２０６からブロックＢ２１４までが繰り返される。
【００２３】
リモコン側ではブロックＢ１２２で繰り返しが終了すると、動作は終了する。
【００２４】
本体側ではブロックＢ２１６で繰り返しが終了すると、周波数特性算出部１８は、メモリ１６に記憶されている１／１２（ｏｃｔ）刻みで２０Ｈｚから２０ＫＨｚまでの周波数帯域において測定されたモノトーン信号の集音データ（振幅値）を周波数軸上で整列及び振幅の正規化をおこなうことにより周波数特性を求める（ブロックＢ２１８）。ブロックＢ２２０で、補正特性算出部２０は理想の周波数特性（可聴周波数帯域内で平坦な（ピーク・ディップがない）特性、あるいは受聴者が任意に設定した特性）と測定した周波数特性とを比較し、その差分を逆フーリエ変換することにより補正特性（ＦＩＲフィルタのタップ係数）を求める。補正特性は畳み込み演算部２２に設定される。
【００２５】
ブロックＢ２２２で受聴する音響信号の再生時か否か判定される。否の場合は、動作は終了する。イエスの場合は、ブロックＢ２２４で畳み込み演算部２２は再生用信号発生部２８からの受聴する音響信号を畳み込み演算し、ピーク・ディップが補正された理想の周波数特性を有する音響信号が得られ、補正後の音響信号がデジタル／アナログ変換部３０、低域通過フィルタ３２、パワーアンプ３４を介してスピーカ３６から再生音として出力される。なお、受聴する音響信号の再生時でも音場の音響特性にピーク・ディップが存在しない場合は補正する必要が無いので、再生用信号発生部２８からの音響信号がセレクタ２４を介してそのまま再生されても良い。
【００２６】
これにより、受聴者は受聴位置でリモコン５０の音響特性補正ボタンを押すだけで受聴音場の音響特性を簡単に測定し、ピーク・ディップが存在する場合はそれを補正することができる。背景技術で説明したような受聴位置にマイクを設置して、マイクを本体にケーブル接続するという必要が無く、操作もリモコンのボタンを押すだけであり、簡単である。さらに、リモコンはワイヤレスリモコンであるので、背景技術で説明したようなリモコンと本体とのケーブル接続も不要であり、接続や操作が簡単である。
【００２７】
本実施形態によれば、リモコン５０は受聴者の近傍に必ず存在する点に着目し、リモコン５０にマイク５２を内蔵する。本実施形態のリモコン５０はマイク５２とマイクアンプ５４を内蔵する点が通常のリモコンと異なるだけであり、他は本体１０に付属している汎用のリモコンと同じである。付加されたマイク５２とマイクアンプ５４はコスト的にも部品サイズ的にも改良に負担を与えるものではない。リモコン５０と本体１０との処理分担は、メモリ容量、データ通信量、バッテリー負荷等を考慮し、リモコン５０での処理は測定データは極力サイズを小さくし、内蔵のメモリ５８に記憶するまでに留める。測定データは赤外線により本体１０に送信し、周波数特性（音場の音響特性）算出、補正特性算出等の処理負荷の大きい演算は本体１０内で処理することにより、部品コストにインパクト与えず、音響特性補正（ピーク・ディップ等のキャンセル）を行うことができる。音響特性は受聴位置によって差異が生じ、さらには温度や湿度等の環境変化によっても差異が生じるので、受聴環境に変化があった場合にそれに応じて補正できることはメリットが大きい。
【００２８】
本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。例えば、上述の説明では、測定用信号はモノトーン信号としたが、これに限らず、リモコン５０の処理能力が高ければ、比較的データサイズの大きいホワイトノイズ、バンドノイズやＴＳＰ(time stretched pulse：タイムストレッチドパルス)を用いても良い。
【００２９】
また、本発明は、コンピュータに所定の手段を実行させるため、コンピュータを所定の手段として機能させるため、コンピュータに所定の機能を実現させるため、あるいはプログラムを記録したコンピュータ読取り可能な記録媒体としても実施することもできる。
【図面の簡単な説明】
【００３０】
【図１】本発明の一実施形態による音響特性補正装置の構成の一例を示す図。
【図２】本発明の一実施形態の動作を示すフローチャートの前半を示す図。
【図３】本発明の一実施形態の動作を示すフローチャートの後半を示す図。
【符号の説明】
【００３１】
１０…本体、１２…受信部、１６…メモリ、１８…周波数特性算出部、２０…補正特性算出部、２２…畳み込み演算部、２６…測定用信号発生部、２８…再生用信号発生部、３６…スピーカ、５０…リモコン、５２…マイク、５８…メモリ、６２…送信部、６６…操作部。
【図１】
2010010823.tif 000003
【図２】
2010010823.tif 000004
【図３】
2010010823.tif 000005
【手続補正書】
【提出日】平成21年7月8日(2009.7.8)
【手続補正１】
【補正対象書類名】特許請求の範囲
【補正対象項目名】全文
【補正方法】変更
【補正の内容】
【特許請求の範囲】
【請求項１】
音響信号を再生する本体と、マイクを有するワイヤレスリモコンとを具備する音響特性補正装置において、
前記本体は測定用音響信号を発生する手段と、
前記リモコンから送信される集音信号を受信する受信手段であって、前記集音信号は、前記測定用音響信号を受信する前記マイクから出力される、受信手段と、
前記集音信号から音響特性を求める手段と、
前記音響特性から補正特性を求める手段と、
前記補正特性に基づいて音響信号を補正する手段とを具備することを特徴とする音響特性補正装置。
【請求項２】
前記リモコンは前記マイクから出力される集音信号を前記本体へ送信する手段をさらに具備することを特徴とする請求項１に記載の音響特性補正装置。
【請求項３】
前記測定用音響信号発生手段は異なる周波数の複数の測定用音響信号を発生し、
前記音響特性を求める手段は前記複数の測定用音響信号の複数の集音信号に基づいて音響特性を求めることを特徴とする請求項１に記載の音響特性補正装置。
【請求項４】
前記音響特性を求める手段は前記複数の測定用音響信号の複数の集音信号を記憶するメモリを具備し、前記メモリから読み出された前記複数の集音信号を周波数軸上で整列し、前記複数の集音信号の振幅の正規化を行い音響特性を求めることを特徴とする請求項３に記載の音響特性補正装置。
【請求項５】
前記送信手段は前記複数の集音信号を平均化し、平均信号を前記本体へ送信することを特徴とする請求項３に記載の音響特性補正装置。
【請求項６】
前記測定用音響信号は可聴周波数範囲の複数の周波数のモノトーン信号であり、
前記リモコンは前記集音信号の振幅値を前記マイクから前記本体へ送信する手段を具備することを特徴とする請求項１に記載の音響特性補正装置。
【請求項７】
前記補正特性を求める手段は、求められた音響特性と理想的な音響特性との差分を逆フーリエ変換して補正係数を求め、
前記補正手段は前記補正係数に基づいて音響信号を畳み込み演算することを特徴とする請求項１に記載の音響特性補正装置。
【請求項８】
音響信号を再生する本体と、マイクを有するワイヤレスリモコンとを具備する音響装置の音響特性補正方法において、
前記本体から測定用音響信号を発生するステップと、
前記リモコンから送信される集音信号を前記本体で受信するステップであって、前記集音信号は、前記測定用音響信号を受信する前記マイクから出力される受信ステップと、
前記集音信号から音響特性を求めるステップと、
前記音響特性から補正特性を求めるステップと、
前記補正特性に基づいて音響信号を補正するステップとを具備することを特徴とする音響特性補正方法。
【請求項９】
前記集音信号を前記リモコンから前記本体へ送信するステップをさらに具備することを特徴とする請求項８に記載の音響特性補正方法。
【請求項１０】
異なる周波数の複数の測定用音響信号を発生するステップと、
前記複数の測定用音響信号の複数の集音信号に基づいて音響特性を求めるステップとをさらに具備することを特徴とする請求項８に記載の音響特性補正方法。
【請求項１１】
前記本体は前記測定用音響信号の複数の集音信号を記憶するメモリを具備し、
前記音響特性を求めるステップは前記メモリから読み出された前記複数の集音信号を周波数軸上で整列し、前記複数の集音信号の振幅の正規化を行い音響特性を求めることを特徴とする請求項１０に記載の音響特性補正方法。
【請求項１２】
前記複数の集音信号を平均化するステップと、
平均信号を前記リモコンから前記本体へ送信するステップをさらに具備することを特徴とする請求項１０に記載の音響特性補正方法。
【請求項１３】
前記測定用音響信号は可聴周波数範囲の複数の周波数のモノトーン信号であり、
前記集音信号の振幅値を前記マイクから前記本体へ送信するステップをさらに具備することを特徴とする請求項８に記載の音響特性補正方法。
【請求項１４】
前記補正特性を求めるステップは、求められた音響特性と理想的な音響特性との差をフーリエ変換して補正係数を求め、
前記補正ステップは前記補正係数に基づいて音響信号を畳み込み演算することを特徴とする請求項８に記載の音響特性補正方法。
【手続補正書】
【提出日】平成21年10月2日(2009.10.2)
【手続補正１】
【補正対象書類名】特許請求の範囲
【補正対象項目名】全文
【補正方法】変更
【補正の内容】
【特許請求の範囲】
【請求項１】
音響信号の再生音を発生する本体と、マイクを有するワイヤレスリモコンとを具備する音響特性補正装置において、
前記リモコンは前記本体からの測定用音響信号の再生音を集音する集音手段と、
前記集音手段から出力される集音信号の振幅値を前記本体へ送信する送信手段とを具備し、
前記本体は測定用音響信号の再生音を発生する測定用音響信号再生手段と、
前記リモコンから送信される集音信号の振幅値を受信する受信手段と、
前記受信手段により受信された集音信号の振幅値から音響特性を求める手段と、
前記音響特性から補正特性を求める手段と、
前記補正特性に基づいて音響信号を補正する補正手段とを具備することを特徴とする音響特性補正装置。
【請求項２】
前記測定用音響信号再生手段は異なる周波数の複数の測定用音響信号の再生音を発生し、
前記音響特性を求める手段は前記複数の測定用音響信号の集音信号の振幅値に基づいて音響特性を求めることを特徴とする請求項１に記載の音響特性補正装置。
【請求項３】
前記音響特性を求める手段は前記複数の測定用音響信号の集音信号の振幅値を記憶するメモリを具備し、前記メモリから読み出された前記複数の集音信号の振幅値を周波数軸上で整列し、前記複数の集音信号の振幅値の正規化を行い音響特性を求めることを特徴とする請求項２に記載の音響特性補正装置。
【請求項４】
前記送信手段は前記複数の集音信号の振幅値を平均化し、平均信号を前記本体へ送信することを特徴とする請求項２に記載の音響特性補正装置。
【請求項５】
前記補正特性を求める手段は、求められた音響特性と理想的な音響特性との差分を逆フーリエ変換して補正係数を求め、
前記補正手段は前記補正係数に基づいて音響信号を畳み込み演算することを特徴とする請求項１に記載の音響特性補正装置。
【請求項６】
前記測定用音響信号は可聴周波数範囲の複数の周波数のモノトーン信号であることを特徴とする請求項１に記載の音響特性補正装置。
【請求項７】
音響信号の再生音を発生する本体と、マイクを有するワイヤレスリモコンとを具備する音響装置の音響特性補正方法において、
前記本体から測定用音響信号の再生音を発生するステップと、
前記本体からの測定用音響信号の再生音を集音し、集音信号を出力するステップと、
前記集音信号の振幅値を前記リモコンから前記本体へ送信するステップと、
前記リモコンから送信される前記集音信号の振幅値を前記本体で受信するステップと、
前記集音信号の振幅値から音響特性を求めるステップと、
前記音響特性から補正特性を求めるステップと、
前記補正特性に基づいて音響信号を補正するステップとを具備することを特徴とする音響特性補正方法。
【請求項８】
前記本体から異なる周波数の複数の測定用音響信号の再生音を発生するステップと、
前記複数の測定用音響信号の再生音の集音信号の振幅値に基づいて音響特性を求めるステップとをさらに具備することを特徴とする請求項７に記載の音響特性補正方法。
【請求項９】
前記本体は前記測定用音響信号の複数の集音信号の振幅値を記憶するメモリを具備し、
前記音響特性を求めるステップは前記メモリから読み出された前記複数の集音信号の振幅値を周波数軸上で整列し、前記複数の集音信号の振幅値の正規化を行い音響特性を求めることを特徴とする請求項８に記載の音響特性補正方法。
【請求項１０】
前記複数の集音信号の振幅値を平均化するステップと、
平均信号を前記リモコンから前記本体へ送信するステップをさらに具備することを特徴とする請求項８に記載の音響特性補正方法。
【請求項１１】
前記測定用音響信号は可聴周波数範囲の複数の周波数のモノトーン信号であることを特徴とする請求項７に記載の音響特性補正方法。
【請求項１２】
前記補正特性を求めるステップは、求められた音響特性と理想的な音響特性との差をフーリエ変換して補正係数を求め、
前記補正ステップは前記補正係数に基づいて音響信号を畳み込み演算することを特徴とする請求項７に記載の音響特性補正方法。
【手続補正２】
【補正対象書類名】明細書
【補正対象項目名】０００７
【補正方法】変更
【補正の内容】
【０００７】
本発明の一態様による音響特定補正装置は、音響信号の再生音を発生する本体と、マイクを有するワイヤレスリモコンとを具備する音響特性補正装置において、前記リモコンは前記本体からの測定用音響信号の再生音を集音する集音手段と、前記集音手段から出力される集音信号の振幅値を前記本体へ送信する送信手段とを具備し、前記本体は測定用音響信号の再生音を発生する測定用音響信号再生手段と、前記リモコンから送信される集音信号の振幅値を受信する受信手段と、前記受信手段により受信された集音信号の振幅値から音響特性を求める手段と、前記音響特性から補正特性を求める手段と、前記補正特性に基づいて音響信号を補正する補正手段とを具備することを特徴とする。
【手続補正３】
【補正対象書類名】明細書
【補正対象項目名】０００８
【補正方法】変更
【補正の内容】
【０００８】
本発明の一態様による音響特定補正方法は、音響信号の再生音を発生する本体と、マイクを有するワイヤレスリモコンとを具備する音響装置の音響特性補正方法において、前記本体から測定用音響信号の再生音を発生するステップと、前記本体からの測定用音響信号の再生音を集音し、集音信号を出力するステップと、前記集音信号の振幅値を前記リモコンから前記本体へ送信するステップと、前記リモコンから送信される前記集音信号の振幅値を前記本体で受信するステップと、前記集音信号の振幅値から音響特性を求めるステップと、前記音響特性から補正特性を求めるステップと、前記補正特性に基づいて音響信号を補正するステップとを具備することを特徴とする。